(57)【特許請求の範囲】
【請求項１】
電子部品（１）を被装着体（２）に自動装着するときに用いる上記電子部品における実装データ（１３１）の設定方法であって、
複数の上記電子部品におけるそれぞれの部品品番を含む上記実装データを有する実装データ作成用データベース（１３０）から上記対象電子部品の実装データの候補となる候補実装データ（１３１１）を、上記実装データの設定対象となる対象電子部品に属する検索用情報（１２１）に基いて抽出し、
複数の上記電子部品の上記実装データに含まれる上記部品品番と各電子部品の原画像とを対応して格納した画像データベース（１４０）から上記候補実装データに対応する候補電子部品の候補画像（１４１１）を抽出して可視的に表示し、
表示された上記候補画像が上記対象電子部品の外観と一致するときには上記候補実装データを上記対象電子部品の実装データに設定する、
ことを特徴とする電子部品実装データ設定方法。
【請求項２】
さらに、上記対象電子部品における設定された上記実装データを電子部品実装装置（１６０）に送出する、請求項１記載の電子部品実装データ設定方法。
【請求項３】
電子部品（１）を被装着体（２）に自動装着するときに用いる上記電子部品における部品品番を含む実装データ（１３１）の設定方法であって、
上記実装データの設定対象となる対象電子部品を撮像し、
複数の電子部品の上記実装データに含まれる上記部品品番と各電子部品の原画像とを対応して格納した画像データベース（１４０）から、上記撮像により得た上記対象電子部品の対象画像に一致する候補画像（１４１２）を抽出し、
複数の上記電子部品におけるそれぞれの上記実装データを有する実装データ作成用データベース（１３０）から上記候補画像に対応する候補電子部品の候補実装データ（１３１２）を上記対象電子部品の実装データに設定する、
ことを特徴とする電子部品実装データ設定方法。
【請求項４】
電子部品（１）を被装着体（２）に自動装着するときに用いる上記電子部品における部品品番を含む実装データ（１３１）の設定装置であって、
複数の上記電子部品におけるそれぞれの上記実装データを格納し、及び複数の上記電子部品の上記実装データに含まれる上記部品品番と各電子部品の原画像とを対応して格納した記憶装置（１７０）と、
表示装置（１５０）と、
制御装置（１１０）と、を備え、
上記制御装置は、上記実装データの設定対象となる対象電子部品に属する検索用情報（１２１）に基いて、上記記憶装置に格納されている各上記実装データから上記対象電子部品の実装データの候補となる候補実装データ（１３１１）を抽出するとともに、抽出した上記候補実装データに基いて、上記記憶装置に格納されているそれぞれの上記原画像から上記候補実装データに対応する候補電子部品の候補画像（１４１１）を抽出して上記表示装置に可視的に表示し、表示した上記候補画像が上記対象電子部品の外観と一致するときには操作者が上記候補実装データを上記対象電子部品の実装データに設定する、
ことを特徴とする電子部品実装データ設定装置。
【請求項５】
上記制御装置は、さらに、上記対象電子部品における設定された上記実装データを電子部品実装装置（１６０）に送出する、請求項４記載の電子部品実装データ設定装置。
【請求項６】
電子部品（１）を被装着体（２）に自動装着するときに用いる上記電子部品における部品品番を含む実装データ（１３１）の設定装置であって、
複数の上記電子部品におけるそれぞれの上記実装データを格納し、及び複数の上記電子部品の上記実装データに含まれる上記部品品番と各電子部品の原画像とを対応して格納した記憶装置（１７０）と、
上記実装データの設定対象となる対象電子部品を撮像する撮像装置（２２０）と、
制御装置（２１０）と、を備え、
上記制御装置は、上記記憶装置に格納されているそれぞれの上記原画像から、上記撮像装置より得た上記対象電子部品の対象画像に一致する候補画像（１４１２）を抽出するとともに、上記記憶装置に格納されている複数の上記電子部品における上記実装データから上記候補画像に対応する候補電子部品の候補実装データ（１３１２）を抽出し、抽出した候補実装データを上記対象電子部品の実装データに設定する、
ことを特徴とする電子部品実装データ設定装置。
【発明の詳細な説明】
【０００１】
【発明の属する技術分野】
本発明は、電子回路実装分野における電子部品の実装データ設定方法、及び該設定方法を実行する電子部品実装データ設定装置に関する。
【０００２】
【従来の技術】
近年、携帯情報機器等の電子機器の市場では商品の小型、軽量化が求められており、電子機器を構成する回路基板に対しても小型、軽量化の要望が強くなっている。そのため、電子部品の小型化、パッケージの多様化が進み、例えば、電子部品の裏面に電極を設けることによりパッケージサイズを小型化したＢＧＡや、それをさらに小型化して半導体ベアチップと同じくらいの大きさにしたＣＳＰなどのパッケージ部品があり、さらにはパッケージ化せずに半導体ベアチップのバンプ電極を介して回路基板上に直接に当該半導体ベアチップを実装するフリツプチツプ実装が広く採用されつつある。
ところが、上述のような、電子部品のパッケージ形状の多様化に伴い、これらの電子部品を回路基板に実装するための実装データの作成方法も、パッケージの数に比例して増加している。よって、実装データの作成操作が複雑になり熟練が必要であったり、作成したデータの登録ミス等によるロスが大きいという問題があり、実装データ作成を簡易化する必要がある。
【０００３】
この要請に応える方法としては、グラフィカル・ユーザー・インターフェースを駆使した分かり易いビジュアル表示を工夫したり、特開平５−４０７９１号公報に開示されるように、部品品番と部品情報とを予め格納しておき、部品品番を読み込むことにより、該部品番号に対応する部品の形状、荷姿情報を自動的に部品データベースへ登録するという工夫がなされている。尚、上記形状情報とは、部品の縦、横、高さの寸法、リード本数、リードピッチ、電極幅、電極長さ等の情報であり、上記荷姿情報とは、テープ供給の場合にはテーピング方向、テープ幅、テープ送りピッチ、エンボス深さを、トレイ供給の場合はトレイ列数、トレイピッチを示す情報である。
【０００４】
【発明が解決しようとする課題】
しかしながら、上述の従来の技術では、様々な部品形状毎に異なるデータ入力方法が必要であり、該入力方法をオペレータが習熟する必要があった。よって、登録ミスが発生したり、入力に時間がかかるという問題を抱えていた。
又、上記特開平５−４０７９１号公報に開示される技術では、上述のような登録ミスや入力作業に時間がかかるという問題は改善できるが、部品品番が誤っていると正しいデータをデータベースより抽出できないという問題が残っている。
本発明はこのような問題点を解決するためになされたもので、電子部品の実装データを従来に比べて容易に作成可能とする、電子部品実装データ設定方法、及び該電子部品実装データ設定方法を実行する電子部品実装データ設定装置を提供することを目的とする。
【０００５】
【課題を解決するための手段】
本発明の第１態様の電子部品実装データ設定方法は、電子部品を被装着体に自動装着するときに用いる上記電子部品における実装データの設定方法であって、
複数の上記電子部品におけるそれぞれの部品品番を含む上記実装データを有する実装データ作成用データベースから上記対象電子部品の実装データの候補となる候補実装データを、上記実装データの設定対象となる対象電子部品に属する検索用情報に基いて抽出し、
複数の上記電子部品の上記実装データに含まれる上記部品品番と各電子部品の原画像とを対応して格納した画像データベースから上記候補実装データに対応する候補電子部品の候補画像を抽出して可視的に表示し、
表示された上記候補画像が上記対象電子部品の外観と一致するときには上記候補実装データを上記対象電子部品の実装データに設定する、
ことを特徴とする。
【０００６】
さらに、上記対象電子部品における設定された上記実装データを電子部品実装装置に送出するようにしてもよい。
【０００７】
本発明の第２態様の電子部品実装データ設定方法は、電子部品を被装着体に自動装着するときに用いる上記電子部品における部品品番を含む実装データの設定方法であって、
上記実装データの設定対象となる対象電子部品を撮像し、
複数の電子部品の上記実装データに含まれる上記部品品番と各電子部品の原画像とを対応して格納した画像データベースから、上記撮像により得た上記対象電子部品の対象画像に一致する候補画像を抽出し、
複数の上記電子部品におけるそれぞれの上記実装データを有する実装データ作成用データベースから上記候補画像に対応する候補電子部品の候補実装データを上記対象電子部品の実装データに設定する、
ことを特徴とする。
【０００８】
本発明の第３態様の電子部品実装データ設定装置は、電子部品を被装着体に自動装着するときに用いる上記電子部品における部品品番を含む実装データの設定装置であって、
複数の上記電子部品におけるそれぞれの上記実装データを格納し、及び複数の上記電子部品の上記実装データに含まれる上記部品品番と各電子部品の原画像とを対応して格納した記憶装置と、
表示装置と、
制御装置と、を備え、
上記制御装置は、上記実装データの設定対象となる対象電子部品に属する検索用情報に基いて、上記記憶装置に格納されている各上記実装データから上記対象電子部品の実装データの候補となる候補実装データを抽出するとともに、抽出した上記候補実装データに基いて、上記記憶装置に格納されているそれぞれの上記原画像から上記候補実装データに対応する候補電子部品の候補画像を抽出して上記表示装置に可視的に表示し、表示した上記候補画像が上記対象電子部品の外観と一致するときには操作者が上記候補実装データを上記対象電子部品の実装データに設定する、
ことを特徴とする。
【０００９】
上記第３態様の電子部品実装データ作成装置において、上記制御装置は、さらに、上記対象電子部品における設定された上記実装データを電子部品実装装置に送出するようにしてもよい。
【００１０】
本発明の第４態様の電子部品実装データ設定装置は、電子部品を被装着体に自動装着するときに用いる上記電子部品における部品品番を含む実装データの設定装置であって、
複数の上記電子部品におけるそれぞれの上記実装データを格納し、及び複数の上記電子部品の上記実装データに含まれる上記部品品番と各電子部品の原画像とを対応して格納した記憶装置と、
上記実装データの設定対象となる対象電子部品を撮像する撮像装置と、
制御装置と、を備え、
上記制御装置は、上記記憶装置に格納されているそれぞれの上記原画像から、上記撮像装置より得た上記対象電子部品の対象画像に一致する候補画像を抽出するとともに、上記記憶装置に格納されている複数の上記電子部品における上記実装データから上記候補画像に対応する候補電子部品の候補実装データを抽出し、抽出した候補実装データを上記対象電子部品の実装データに設定する、
ことを特徴とする。
【００１１】
【発明の実施の形態】
本発明の実施形態における電子部品実装データ作成方法、及び該電子部品実装データ作成方法を実行する電子部品実装データ作成装置について、図を参照しながら以下に説明する。尚、各図において、同じ構成部分については同じ符号を付している。
又、被装着体の機能を果たす一例として本実施形態では回路基板を例に採る。しかしながら、被装着体は、上記回路基板に限定されず、例えば電子部品等の部品であってもよい。
又、電子部品の実装データとは、上記回路基板に電子部品を実装設備にて自動装着するときに必要となる実装プログラムに組み込まれるデータであり、少なくとも、実装される電子部品を画像認識するために必要な情報であり例えば当該電子部品の電極寸法、ボディー部分の寸法、電極数、外形サイズ、サイズ許容値等の認識データと、当該電子部品の部品品種、形状、荷姿、回路基板上の実装位置（ｘ，ｙ，θ）、等々の装着データとを有するデータである。尚、上記部品品種、形状については製造メーカーから供給される場合が多い。
【００１２】
第１実施形態；
まず、第１実施形態における電子部品実装データ作成装置の構成を説明する。図４に示すように、第１実施形態の電子部品実装データ作成装置１０１は、例えばパーソナルコンピュータ等にて構成される演算処理部としての制御装置１１０に、入力装置１２０、実装データ作成用データベース１３０、画像データベース１４０、及び表示装置１５０を接続した構成を有し、さらには実装設備１６０を接続した構成にすることもできる。又、上記実装データ作成用データベース１３０及び画像データベース１４０は、電子部品実装データ作成装置１０１に備わる記憶装置１７０に格納されている。尚、変形例として、制御装置１１０内に記憶装置１７０を含んだ構成とすることもできる。
【００１３】
このように構成される電子部品実装データ作成装置１０１は、図６に示すように、上記回路基板２に電子部品１を実装設備１６０にて自動装着するときに必要となる実装プログラムに含まれる、電子部品１の実装データ１３１を作成する装置である。詳しくは後述するが、該電子部品実装データ作成装置１０１によれば、上記表示装置１５０に表示された電子部品画像から、上記実装データ１３１を作成しようとしている電子部品に一致若しくはほぼ一致、つまり近似すると判断される電子部品画像を選択することで、上記対象電子部品の候補実装データを上記対象電子部品の実装データ１３１とする。よって、従来のように、上記対象電子部品の実装データを操作者が入力する必要は無く、又、部品品番の正否に関係なく上記対象電子部品の実装データを作成することができるので、従来に比べて容易に実装データを作成することができる。
【００１４】
より具体的に説明する。上記入力装置１２０は、検索用情報１２１を上記制御装置１１０へ入力するための装置であり、例えばキーボード等が相当する。上記検索用情報１２１とは、上記実装データ１３１を作成したい電子部品である対象電子部品に属する情報であり、かつ上記実装データ１３１に含まれる情報から選択された一若しくは複数の情報であって、具体的には、当該対象電子部品における、外形寸法、電極数、電極間隔、メーカー名等が相当する。尚、上記メーカー名、上記電極数程度しかわからないのが実情である。
【００１５】
上記実装データ作成用データベース１３０は、複数の電子部品１におけるそれぞれの実装データ１３１を、各上記電子部品１と対応付けて構成されている。
上記画像データベース１４０は、複数の電子部品１と、各電子部品１を撮像して得た画像情報である原画像とを対応付けて構成されている。
上記表示装置１５０は、上記原画像を可視的に表示する装置である。
【００１６】
このように構成される第１実施形態における電子部品実装データ作成装置１０１の動作、即ち電子部品実装データ作成方法について、図１を参照して以下に説明する。尚、上記電子部品実装データ作成方法は、本実施形態では、制御装置１１０に格納した電子部品実装データ作成プログラムに従い実行される。しかしながら上記電子部品実装データ作成プログラムは、制御装置１１０に格納済である必要はなく、読込装置１８１にて、上記電子部品実装データ作成プログラムを記録した例えばＣＤ−ＲＯＭやフロッピーディスク等の記録媒体１８０や、通信線を介して読み込むように構成してもよい。
【００１７】
ステップ（図では「Ｓ」にて示す）１では、上記対象電子部品の実装データを作成するため、まず、上記対象電子部品に属する情報である上記検索用情報１２１を、操作者は入力装置１２０を使用して制御装置１１０に供給する。上述のように、検索用情報１２１としては、上記対象電子部品の外形寸法、電極数、電極間隔、及びメーカー名等の情報から選択した一つ若しくは複数種にてなる情報である。
本実施形態では、検索用情報１２１を入力するようにしているが、これに限定されるものではなく、例えば予め用意された検索用情報１２１を供給してもよいし、表示装置に検索用情報１２１のリストを表示し該リストから所望の検索用情報を選択するようにしてもよい。
ステップ２では、入力した上記検索用情報１２１に間違いが有るか否かを表示された情報にて確認し、無ければ検索を開始すべく次のステップ３へ進み、誤りがあればステップ１に戻る。
【００１８】
ステップ３において、制御装置１１０は、供給された上記検索用情報１２１に基いて、上記実装データ作成用データベース１３０から、検索用情報１２１を有する実装データ１３１を抽出する。即ち、制御装置１１０は、実装データ作成用データベース１３０から各実装データ１３１を読み出し、各実装データ１３１毎に上記検索用情報１２１が含まれているか否かを判断し、含まれている実装データ１３１を、上記対象電子部品の実装データの候補となる候補実装データ１３１１として抽出する。尚、候補実装データ１３１１は、一つの場合もあれば複数の場合もある。又、候補実装データ１３１１を表示装置１５０に表示してもよく、複数の候補実装データ１３１１が抽出されたときには順次表示を行なっても良い。
【００１９】
次のステップ４では、制御装置１１０は、上記候補実装データ１３１１に対応する候補電子部品の候補画像を上記画像データベース１４０から抽出し、抽出した原画像１４１を候補画像１４１１として表示装置１５０に可視的に表示する。尚、候補画像１４１１は、一つの場合もあれば複数の場合もある。
【００２０】
次のステップ５では、表示装置１５０に表示された上記候補画像１４１１を操作者が見て、上記対象電子部品に一致又はほぼ一致つまり近似するか否かを判断する。候補画像１４１１が上記対象電子部品に一致又は近似していると判断したときには、ステップ７に進み、制御装置１１０は、一致又は近似したと判断された当該候補画像１４１１に対応する候補実装データ１３１１を、上記対象電子部品の実装データとして設定する。
一方、ステップ５にて、候補画像１４１１が上記対象電子部品に一致しないときには、複数の候補画像１４１１が抽出されている場合、ステップ６に進み、次の候補画像１４１１を読み出した後、上記ステップ４へ移行した後、ステップ５を実行する。
【００２１】
このように第１実施形態の電子部品実装データ作成装置１０１及び電子部品実装データ作成方法によれば、操作者は上記候補画像１４１１を見ながら、表示されている候補画像１４１１が上記対象電子部品に対応するか否かを判断するだけで、上記対象電子部品の実装データを設定することができる。よって、操作者が実装データの入力作業を行なう必要がないことから、入力ミス等を防ぐことができり。又、部品品番等が完全に一致しない場合は、上記対象電子部品の実装データの設定後、相異する部分のみの修正で設定を完了でき、電子部品の実装データを従来に比べて容易に作成することができる。
【００２２】
又、上述の第１実施形態の変形例として、図２に示す動作を行なうようにしてもよい。即ち、ステップ７にて設定した、上記対象電子部品の実装データを一旦制御装置１１０の記憶部１１１に記憶する。次のステップ８にて、実装設備１６０がデータを受け取れる状態のときに、記憶した上記対象電子部品の上記実装データを制御装置１１０から実装設備１６０へ送出することもできる。
【００２３】
第２実施形態；
図５に示すように、第２実施形態の電子部品実装データ作成装置２０１は、例えばパーソナルコンピュータ等にて構成される演算処理部としての制御装置２１０に、撮像装置２２０及び上記画像データベース１４０を接続した構成を有する。又、上記画像データベース１４０は記憶装置１７０に格納されている。尚、変形例として、制御装置２１０内に記憶装置１７０を含んだ構成とすることもできる。上記撮像装置２２０は、上記対象電子部品を撮像し、撮像情報を制御装置２１０へ送出する。
上述した電子部品実装データ作成装置１０１では、検索用情報１２１に基いて候補実装データ１３１１を抽出したが、第２実施形態の電子部品実装データ作成装置２０１では、検索用情報１２１に代えて、撮像装置２２０が送出する撮像情報に基いて候補実装データ１３１１を抽出する。
【００２４】
このように構成される第２実施形態における電子部品実装データ作成装置２０１の動作、即ち電子部品実装データ作成方法について、図３を参照して以下に説明する。尚、上述の電子部品実装データ作成装置１０１の場合と同様に、電子部品実装データ作成装置２０１においても、上記電子部品実装データ作成方法は制御装置２１０によって動作制御され、又、上記電子部品実装データ作成プログラムを記録した例えばＣＤ−ＲＯＭやフロッピーディスク等の記録媒体１８０や、通信線を介して制御装置２１０へ読み込むように構成してもよい。
まずステップ２１では、撮像装置２２０を用いて上記対象電子部品を撮像しその対象画像２２１を制御装置２１０内の記憶部である画像メモリ２１１に記憶する。次のステップ２２では、制御装置２１０は、上記画像データベース１４０から上記原画像１４１を読み出し、上記対象画像２２１と各原画像１４１との照合を行なう。
【００２５】
次のステップ２３では、制御装置２１０は、ステップ２２における照合により得られた、対象画像２２１と各原画像１４１との一致度が指定値以上か否かを判定し、指定値以上であれば、次のステップ２５に進み、上記対象電子部品の候補画像１４１２として記憶部２１１に記憶する。尚、候補画像１４１２は、一つの場合もあれば複数の場合もある。
一方、上記一致度が上記指定値未満であればステップ２４へ移行し、全ての原画像１４１と照合した否かが判断される。全てと照合していないときには、上記ステップ２２へ戻り、全てと照合したときには動作を終了する。
【００２６】
ステップ２５では、制御装置２１０が上記候補画像１４１２に対応する各実装データ１３１を実装データ作成用データベース１３０から読み出し、候補実装データ１３１２として、記憶部２１１に記憶する。そして、操作者は、上記候補画像１４１２の画像を見て、最も一致するものを選択する。これにより、制御装置２１０は、選択された候補画像１４１２に対応する一つの上記候補実装データ１３１２を上記対象電子部品の実装データに設定する。
【００２７】
このように第２実施形態の電子部品実装データ作成装置２０１、及び該電子部品実装データ作成装置２０１にて実行される電子部品実装データ作成方法によれば、第１実施形態のように検索用情報を入力する必要がないので、より容易に対象電子部品の実装データを設定することができる。
【００２８】
【発明の効果】
以上詳述したように本発明の第１態様の電子部品実装データ設定方法、及び第３態様の電子部品実装データ設定装置によれば、記憶装置、表示装置、及び制御装置を備え、検索用情報に基いて抽出され可視的に表示された候補画像から対象電子部品の対象画像と一致又は近似する候補画像を選択することで、選択された候補画像に対応する実装データが上記対象電子部品の実装データとして自動的に設定される。よって、操作者が上記対象電子部品の実装データの入力作業を行なう必要はなく、入力ミス等を防ぐことができる。又、上記対象電子部品の部品品番等が完全に一致しなくても上記対象電子部品の実装データの設定を行うことができる。したがって、電子部品の実装データを従来に比べて容易に作成することができ、実装データ作成時間を短縮することができる。
【００２９】
又、本発明の第２態様の電子部品実装データ設定方法、及び第４態様の電子部品実装データ設定装置によれば、記憶装置、撮像装置、及び制御装置を備え、上記撮像装置から得た対象電子部品の対象画像に基いて上記対象電子部品の実装データを自動的に設定するように構成した。したがって上記第１態様の場合に比べて、上記検索用情報を入力する必要が無く、より容易かつ短時間に電子部品の実装データを作成することができる。
【００３０】
さらに、上述のようにして設定された実装データを電子部品実装装置に送出するように構成することで、上記対象電子部品の実装データを、オフラインの状態にて設定することができる。
【図面の簡単な説明】
【図１】  本発明の第１実施形態の電子部品実装データ作成方法の動作を示すフローチャートである。
【図２】  図１に示す電子部品実装データ作成方法の変形例における動作を示すフローチャートである。
【図３】  本発明の第２実施形態の電子部品実装データ作成方法の動作を示すフローチャートである。
【図４】  図１に示す第１実施形態の電子部品実装データ作成方法を実行する電子部品実装データ作成装置の構成を示すブロック図である。
【図５】  図３に示す第２実施形態の電子部品実装データ作成方法を実行する電子部品実装データ作成装置の構成を示すブロック図である。
【図６】  図４に示す実装設備にて実行される部品実装動作を説明するための図である。
【符号の説明】
１…電子部品、２…回路基板、
１０１…電子部品実装データ作成装置、１１０…制御装置、
１２１…検索用情報、１３０…実装データ作成用データベース、
１３１…実装データ、１４０…画像データベース、
１５０…表示装置、１６０…実装設備、
１３１１…候補実装データ、
２０１…電子部品実装データ作成装置、２２０…撮像装置、
１３１２…候補実装データ、１４１２…候補画像。
【図１】
0004215937.tif 000002
【図２】
0004215937.tif 000003
【図３】
0004215937.tif 000004
【図４】
0004215937.tif 000005
【図５】
0004215937.tif 000006
【図６】
0004215937.tif 000007